(57)【要約】【課題】  操作パネルの照明部と収納トレイとを少ない光源および導光部材によって同時に照明することができる表示パネルの照明構造を提供する。【解決手段】  操作パネル１２の内部と収納トレイ１９を連通させる第１開口部２０と、ベース２２の前面側に配置されて光源２３、２４からの光を所定の照明位置に導く導光部材４０とを設け、導光部材４０には、第１開口部２０近傍まで延設されて光源２３、２４からの光を第１開口部２０を介して収納トレイ１９内に導くとともに、収納トレイ１９の照明範囲に応じて光源２３、２４からの光を屈折させるように形成された傾斜面４６、４７を有する第１導光部４５を設けた。【選択図】  図３
2005309111.tif 000002
【特許請求の範囲】
【請求項１】
ダイヤルノブと、前記ダイヤルノブが回動可能に取り付けられて前記ダイヤルノブの操作位置を示す透光性の表示部が設けられる操作パネルと、前記表示部を照明する光源が取り付けられて前記操作パネルの背面側に配置されるベースと、前記操作パネルに隣接して略箱状の収納トレイが設けられる操作パネルの照明構造において、前記操作パネルの内部と前記収納トレイを連通させる第１開口部と、前記ベースの前面側に配置されて前記光源からの光を所定の照明位置に導く導光部材とを設け、該導光部材には、前記第１開口部近傍まで延設されて前記光源からの光を前記第１開口部を介して前記収納トレイ内に導くとともに、前記収納トレイの照明範囲に応じて前記光源からの光を屈折させるように形成された傾斜面を有する第１導光部を設けたことを特徴とする操作パネルの照明構造。
【請求項２】
前記第１導光部の傾斜面は、少なくとも前記収納トレイの奥側に光を屈折させる第１傾斜部と、手前側に光を屈折させる第２傾斜面とを設け、前記第１傾斜面は前記第２傾斜面よりも面積を大きく形成したことを特徴とする請求項１に記載の操作パネルの照明構造。
【請求項３】
前記導光部材には、前記光源が配置され前記操作パネルに向かって開口する貫通孔を形成したことを特徴とする請求項１又は請求項２に記載の操作パネルの照明構造。
【請求項４】
透光性の表示部が設けられたプッシュノブを有する操作スイッチが前記ベースに隣接して取り付けられる請求項１に記載の操作パネルの照明構造において、前記操作スイッチには外部から前記プッシュノブの内部まで貫通する第２開口部を設け、前記導光部材には前記第２開口部を介して前記プッシュノブ内まで突出して前記光源の光を前記プッシュノブの表示部に導く第２導光部を設けたことを特徴とする操作パネルの照明構造。
【請求項５】
前記操作パネルに対して水平方向に回動可能な操作レバーが前記ベースに軸支されて取り付けられる請求項１に記載の操作パネルの照明構造において、前記操作レバーには、把持部の前面側に一部が露出するように取り付けられた透光性のレンズ部材を設け、前記導光部材には前記光源からの光を前記レンズ部材に導く第３導光部を設け、該第３導光部を前記該レンズ部材が前記操作レバーの回動操作によって移動する範囲に沿うように設けたことを特徴とする操作パネルの照明構造。
【発明の詳細な説明】
【技術分野】
【０００１】
本発明は、車輌の操作パネルの照明構造に関する。
【背景技術】
【０００２】
広く知られているように、車輌のインストルメントパネルにはオーディオ、ヒーターコントロール装置、収納トレイ、灰皿などが配設されている。そして、これらの各機器にはそれぞれ光源が設けられ、各機器ごとにそれぞれ照明されるようになっている。下記特許文献１には、各機器の光源を共用するようにして、光源の数を削減し、消費電力の削減が出来るようにした照明構造が開示されている。
【０００３】
この特許文献１の照明構造は、照明用の光源を有する自発光機器に、光源からの光を外部に出光する出光部を設け、この自発光機器に組み合わせる機器に、出光部から出光される光を受光し照明部分に光を伝達する受光部を設けるようにしたものである。そして、光源および受光部からの光は、導光部材によって所定の照明位置に導かれるようになっている。
【０００４】
【特許文献１】特開平１１−３５３９１４
【発明の開示】
【発明が解決しようとする課題】
【０００５】
しかし、光源からの光を導光部材によって所定の照明位置に導いて各照明部を均一に照明しようとした場合、各照明部ごとにそれぞれ導光部材を設ける必要があるため、複数の導光部材が必要となり、製造コストが高いものとなってしまう。また、１つの導光部材を全ての照明位置まで延設して設けるようにすると、導光部材が大型化してしまい、照明される機器の内部部品のレイアウトに支障をきたす場合があった。
【０００６】
そこで、本発明は、前述したような問題点に鑑みてなされたもので、操作パネルの照明部と他機器の照明部とを少ない光源および導光部材によって同時に照明することができる表示パネルの照明構造を提供することを目的とする。
【課題を解決するための手段】
【０００７】
前記問題を解決するために本発明は、ダイヤルノブと、前記ダイヤルノブが回動可能に取り付けられて前記ダイヤルノブの操作位置を示す透光性の表示部が設けられる操作パネルと、前記表示部を照明する光源が取り付けられて前記操作パネルの背面側に配置されるベースと、前記操作パネルに隣接して略箱状の収納トレイが設けられる操作パネルの照明構造において、前記操作パネルの内部と前記収納トレイを連通させる第１開口部と、前記ベースの前面側に配置されて前記光源からの光を所定の照明位置に導く導光部材とを設け、該導光部材には、前記第１開口部近傍まで延設されて前記光源からの光を前記第１開口部を介して前記収納トレイ内に導くとともに、前記収納トレイの照明範囲に応じて前記光源からの光を屈折させるように形成された傾斜面を有する第１導光部を設けるようにした。
【０００８】
このように構成すれば、操作パネルを照明する光源によって、収納トレイも照明することができ収納トレイ専用の光源が不要となる。また、導光部材の第１導光部に傾斜面を設けることにより、第１導光部からの光だけで収納トレイのより広い範囲を照明することが可能となるため、複数の導光部材および光源を別途設ける必要がない。
【０００９】
また、前記第１導光部の傾斜面は、少なくとも前記収納トレイの奥側に光を屈折させる第１傾斜部と、手前側に光を屈折させる第２傾斜面とを設け、前記第１傾斜面は前記第２傾斜面よりも面積を大きく形成してもよい。
【００１０】
このように構成すれば、簡単な構成にて、収納トレイの手前側を暗く、奥側を明るく照明することができ、収納トレイの奥にある物品の認識性を向上することができると共に、運転手が照明光によって眩しさを感じることを防止することもできる。これにより、収納トレイの奥に物が置かれた場合でも容易に確認することができるので、収納トレイへの物の置き忘れを防止することができる。
【００１１】
さらに、前記導光部材には、前記光源が配置され前記操作パネルに向かって開口する貫通孔を形成してもよい。
【００１２】
このように構成すれば、操作パネルを光源からの直接光によって照明することができるため、導光部材をそれぞれの照明位置まで延設する必要がなく、導光部材を小型化することができる。また、光源からの熱が放熱されるので、レンズが溶けて照明ムラが生じることを防止することができる。
【００１３】
さらにまた、透光性の表示部が設けられたプッシュノブを有する操作スイッチが前記ベースに隣接して取り付けられる操作パネルの照明構造において、前記操作スイッチには外部から前記プッシュノブの内部まで貫通する第２開口部を設け、前記導光部材には前記第２開口部を介して前記プッシュノブ内まで突出して前記光源の光を前記プッシュノブの表示部に導く第２導光部を設けるようにしてもよい。
【００１４】
このように構成すれば、操作スイッチに専用の光源を設けることなく、操作スイッチを照明することができる。また、複数の操作スイッチに対応して、複数の第２導光部を導光部材に設けるようにすれば、光源及び導光部材の数を増やすことなく、複数の操作スイッチを同時に照明することが可能となる。
【００１５】
さらに、前記操作パネルに対して水平方向に回動可能な操作レバーが前記ベースに軸支されて取り付けられる操作パネルの照明構造において、前記操作レバーには、把持部の前面側に一部が露出するように取り付けられた透光性のレンズ部材を設け、前記導光部材には前記光源からの光を前記レンズ部材に導く第３導光部を設け、該第３導光部を前記該レンズ部材が前記操作レバーの回動操作によって移動する範囲に沿うように設けてもよい。
【００１６】
このように構成すれば、操作レバーに専用の光源を設けることなく、操作レバーを照明することができる。また、第３導光部を、レンズ部材が操作レバーの回動操作によって移動する範囲に沿うように設けているため、操作レバーをどの位置に操作しても、均一にレンズ部材を照明することができる。
【発明の効果】
【００１７】
上述したように、本発明の操作パネルの照明構造では、少ない光源および導光部材により操作パネルと収納トレイとを照明できる。また、導光部材の第１導光部に傾斜面を設けることにより、収納トレイのより広い範囲を照明することが可能となる。
【００１８】
また、導光部材に設けた貫通孔に光源を配置することにより、光源からの直接光によって操作パネルを照明できるので、導光部材を小型化することができる。
【００１９】
さらに、収納トレイ以外の操作スイッチ、操作レバーを１つのレンズで効率的に光を分散させて、少ない光源で複数箇所を照明することができる。
【発明を実施するための最良の形態】
【００２０】
以下、本発明の実施の形態を図面に従って説明する。本実施の形態は本発明の操作パネルの照明構造を自動車のヒータコントロール装置に採用したものであり、図１は自動車のインストルメントパネル１にヒータコントロール装置２が装着された状態を示し、図２はヒータコントロール装置２の正面図、図３は図２の側面断面図、図４は操作レバーの側面断面図、図５は操作スイッチの側面断面図である。尚、この明細書において、上、下、左、右及び、前（紙面手前側）、後（紙面奥側）とは図１の向きを基準として説明したものである。
【００２１】
図１に示すように、自動車のインストルメントパネル１にはヒータコントロール装置２が設置されている。このヒータコントロール装置２には、風向調整用のダイヤルノブ３、風量調整用のダイヤルノブ４、温度調整用のダイヤルノブ５、内外換気切換え用の操作レバー６が設けられ、運転者の操作により風向、風量、温度、内外換気の設定を自由に変更できるように構成されている。また、ヒータコントロール装置２の上部には、助手席のシートベルトの装着忘れを警告する警告表示部７と、両方のウインカーを点滅させるためのハザード操作スイッチ８と、リアウインドウの曇取りの作動を行うリアデフ操作スイッチ９と、冷房、除湿の作動を行うＡ ／Ｃ 操作スイッチ１０とがインストルメントパネル１に横一列に配置されている。
【００２２】
ヒータコントロール装置２の前面側には、操作パネル１２がインストルメントパネル１に一体的に形成され配置されている。この操作パネル１２には各ダイヤルノブ３、４、５を挿通させる図示しない３つの挿通孔が形成され、各ダイヤルノブ３、４、５の周縁には、それぞれのダイヤルノブ３、４、５の操作位置ごとの機能を示す図形及び、数字などの形状の表示部１４が複数設けられている。この表示部１４は透光性であり、昼間においては、外部からの自然光などによって表示部１４の形が認識でき、夜間においては、背面から光を照射して表示部１４を浮き上がらせ、容易に認識できるようになっている。
【００２３】
また、操作パネル１２の下部には、操作レバー６の作動範囲領域が開口したレバー挿通孔１５が形成されている。レバー挿通孔１５の上方左右には外気導入モードを示す表示フィルム１６ａ及び、内気循環モードを示す表示フィルム１６ｂが装着されており、背面からの光によって照明される。さらに、操作パネル１２の上部には、警告表示部７及び３つの操作スイッチ８、９、１０を前面側に露出させるスイッチ挿通孔１７が形成されている。
【００２４】
前記ヒータコントロール装置２の下方側には、インストルメントパネル１に一体的に形成され前面側が開口した略箱状の収納トレイ１９が設けられている。そして、この収納トレイ１９の上壁には、操作パネル１２の内部に連通した２つの第１開口部２０が穿設されている。
【００２５】
次に操作パネル１２の背面側に装着されるヒータコントロール装置２の機構部について図２、図３を参照して説明する。ヒーターコントロール装置２は、白色の樹脂材料、例えばアクリル−ブタジエン−スチレン（ＡＢＳ）樹脂などを白色に着色した樹脂にて成形されたベース２２を備えている。ベース２２の前面部には、照明用の光源であるバルブ２３、２４を配置した略俵形状のバルブボックス２５が形成され、このバルブボックス２５はバルブ２３、２４からの光を操作パネル１２側へ反射する反射板としての役割をなす。また、バルブボックス２５の左右端部にはそれぞれ、前面側に傾斜してバルブ２３、２４からの光を操作パネル１２側に反射する略円弧状の反射板２６が設けられており、バルブ２３、２４からの直接光により操作パネル１２全体をほぼ均一に照明できるようになっている。
【００２６】
バルブボックス２５の中央には、３つのダイヤルノブ３、４、５がほぼ横一列に配置され、その各ダイヤルノブ３、４、５の間にバルブ２３、２４が位置するように構成されている。この各ダイヤルノブ３、４、５は、周知のダイヤルノブと同様に、回転操作することにより図示しない操作機構部が作動してそれぞれ、風向、風量、温度の調整が行われるものである。このダイヤルノブ３、４、５には照明部３２が設けられている。この照明部３２は、図４に示すように、バルブ２３、２４からの光を前面側まで透過する透光性の軸受部材３３が前面側に一部露出することにより形成され、バルブ２３、２４の光によって照明されて夜間でもダイヤルノブ３、４、５の操作位置が認識できるようになっている。
【００２７】
バルブ２３、２４の周辺には、透光性の合成樹脂材で形成され、バルブ２３、２４の光を所定の照明位置に導く導光部材４０が設けられている。導光部材４０には、図２及び図３に示すように、略Ｖ字状の基板４１が設けられ、該基板４１の両端側には前記バルブ２３、２４を内部に装着する２つの貫通孔４２、４３が形成されている。また、基板４１の左右両端にはそれぞれ、導光部材４０をベース２２に取り付けるための係合爪４４が弾性変形可能に設けられ、ベース２２の取付部２７に係合させることにより導光部材４０をベース２２に簡単に取り付けることができる。
【００２８】
また、基板４１の下側には、貫通孔４２、４３周辺から収納トレイ１９の第１開口部２０近傍まで延設された２つの第１導光部４５が設けられている。この第１導光部４５は、バルブ２３、２４からの光を第１開口部２０近傍まで導き、その先端から放射される光によって収納トレイ１９内を照明できるようにしたものである。第１導光部４５の先端には、図３に示すように、前方側（図３中左側）が切り欠かれて設けられた第１傾斜面４６と、後方側（図３中右側）が切り欠かれて設けられた第２傾斜面４７とが形成されている。そして、バルブ２３、２４から第１導光部４５内を介して先端から放射される光をこの第１傾斜面４６によって収納トレイ１９の奥側に屈折させるとともに、第２傾斜面４７によって収納トレイ１９の前側に屈折させて、より前後方向の広範囲に光が拡散するようにして収納トレイ１９全体を照明できるようにしている。なお、第１傾斜面４６の面積を第２傾斜面４７の面積よりも大きく形成すれば、収納トレイ１９の奥側に屈折する光量を多くすることができ、より明るく収納トレイ１９の奥側を照明できるようになる。なお、第１導光部４５の端面に逆Ｖ字状の切り込みを入れて、その両側面を傾斜面４６、４７としてもよいが、本実施の形態のように外側に傾斜面４６、４７を設けることで、傾斜面４６、４７を収納トレイ１９の大きさに応じて容易に設定することができる。
【００２９】
さらに、前記第１傾斜面４６及び第２傾斜面４７には、図２に示すように（第１傾斜面４６のみ図示）、略山形に内側面４６ａと外側面４６ｂとが傾斜して形成されている。そして、バルブ２３、２４から第１導光部４５内を介して先端から放射される光を内側面４６ａによって収納トレイ１９の幅方向端部側に屈折させるとともに、外側面４６ｂによって収納トレイ１９幅方向の中央側に屈折させて、より幅方向の広範囲に光が拡散するようにして収納トレイ１９全体を照明できるようにしている。すなわち、第１導光部４５の先端に設けた各傾斜面の面積及び角度を変更することにより、収納トレイ１９内の各位置の照明の明るさを調整することが可能となる。
【００３０】
導光部材４０の基板４１の上側には、貫通孔４２、４３周辺から各操作スイッチ８、９、１０の内部まで延設された３つの第２導光部４８が設けられている。この第２導光部４８は、バルブ２３、２４からの光を各操作スイッチ８、９、１０内まで導き、その先端から放射される光によって操作スイッチ８、９、１０の後述する各表示部７１を照明できるようにしたものである。第２導光部４８の先端は、図３に示すように、前方に向かって湾曲して形成され、その先端面４８ａが前方側に向くように形成されている。
【００３１】
導光部材４０の基板４１の下部には、横方向に直線状に形成された第３導光部４９が形成されている。この第３導光部４９は、後述する操作レバー６が移動する範囲に沿うように形成されている。
【００３２】
操作レバー６は、図４に示すように、棒状のレバー本体５１がベース２２の軸部２８に軸支され、ベース２２の下側に回動操作可能に設けられている。このレバー本体５１の前面側には、略矩形筒状の把持部５２が設けられ、この把持部５２を摘んで左右に操作することにより、レバー本体５１の後端部が移動して、レバー本体５１の後端部に連結された図示しないコントロールワイヤが操作されて所定の切り替え動作が行われるようになっている。この把持部５２には、前端が把持部５２の前面側に露出するようにレンズ部材５３が嵌挿されている。このレンズ部材５３は透光性の合成樹脂材で形成してあり、本体がほぼ四辺形断面のレンズ部材５３で、その後端側（図４において右側）は導光部材４０の第３導光部４９からの光を前端方向に反射させるために、斜面形成した端面５３ａとしてある。そして、この端面５３ａに対応するベース２２の位置には、導光部材４０の第３導光部４９からの光を挿通させるための第３開口部２９が、操作レバー６を操作したときのレンズ部材５３の端面５３ａの移動範囲に沿って形成されている。
【００３３】
このように構成された操作レバー６は、図２に示すように、実線で示す外気導入位置から、２点鎖線で示す内気循環位置まで移動可能である。そして、導光部材４０の第３導光部４９がこの操作レバー６が移動する範囲に沿うように形成されているため、どの位置に操作レバー６が操作されてもレンズ部材５３の端面５３ａに光を照射することができ、操作位置が変化しても均一に操作レバー６のレンズ部材５３を照明することができる。
【００３４】
一方、各操作スイッチ８、９、１０及び警告表示部７は、ベース２２の上部に取り付けてある。操作スイッチ８は、図５に示すように、略筒状で内周面に複数の固定接点６１が設けられたケース６２と、ケース６２内に前後方向に移動可能に保持され前記固定接点６１と摺動する可動接点６３が設けられたプッシュノブ６４と、前記プッシュノブ６４を前側に付勢するスプリング６５と、前記プッシュノブ６４を後方位置に保持するための周知のハートカム６６及び、ハートカムピン６７とによって構成されている。前記プッシュノブ６４はさらに、可動接点６３が取り付けられるスライダ６９と、該スライダ６９の前部に嵌着されるキャップ７０とによって構成されている。
【００３５】
この操作スイッチ８は、プッシュノブ６４を後方側に押圧操作することによって、プッシュノブ６４に固定された可動接点６３が複数の固定接点６１を導通することによりオンするようになっている。ケース６２の下部には、導光部材４０の第２導光部４８の先端が挿入される第２開口部６２ａが形成されている。また、プッシュノブ６４のスライダ６９には、導光部材４０の第２導光部４８の先端を挿入するための開口孔６９ａがスライダ６９の下部に設けられている。この開口孔６９ａは、スライダ６９の前端まで開口するとともに、プッシュノブ６４押圧時のスライダ６９の移動の際に、スライダ６９が第２導光部４８に干渉しない範囲に形成されている。プッシュノブ６４のキャップ７０には操作スイッチ８の機能を表す透光性の表示部７１が設けられ、ケース６２の第２開口部６２ａを介してスライダ６９の開口孔６９ａまで挿入された第２導光部４８の先端面４８ａから放射される光によって照明されようになっている。尚、操作スイッチ９、１０は操作スイッチ８と同様の構造であるため、同様の部位には同符合を付して詳細な説明は省略する。一方、警告表示部７は、助手席のシートベルトが装着されていないときにのみ照明されるものであるため、内部に図示しない光源が別途設けられる。
【００３６】
本実施形態は、上記のように、バルブ２３、２４から比較的離れた位置にある操作レバー６のレンズ部材５３及び、各操作スイッチ８、９、１０の表示部７１は、第２導光部４８と第３導光部４９とによって光を導くことにより確実に照明することができる。また、ヒータコントロール装置２の下側に設けられた収納トレイ１９は、第１開口部２０を介して、導光部材４０の第１導光部４５の先端から照射される光によって、内部を照明することができるため、個別の光源をそれぞれ設ける必要がなく、部品点数を削減することができる。
【００３７】
さらに、操作パネル１２に設けられた操作パネル１２の表示部１４、表示フィルム１６ａ、１６ｂ及び、ダイヤルノブ３、４、５の照明部３２は、導光部材４０に設けられた貫通孔４２、４３によりバルブ２３、２４の前方側が開放された状態となっているため、バルブ２３、２４からの直接光によって照明することができる。このため、各照明部３２の背面側まで導光部材４０をそれぞれ設ける必要がなく、導光部材４０を小型にすることが可能となる。また、導光部材４０による光の減衰もないため、より消費電力の少ない小型のバルブ２３、２４にすることができる。
【００３８】
このように、本実施の形態の操作パネル１２の照明構造によれば、ヒータコントロール装置２および収納トレイ１９を僅か２つのバルブ２３、２４と１つの導光部材４０だけで１度に照明することが可能であり、多数のバルブを廃止できる優れた効果を発揮するものである。
【００３９】
尚、本実施の形態においては、操作パネル１２及び収納トレイ１９をインスツルメントパネル１と一体的に設けるようにしたが、別体にそれぞれ設けるようにしてもよい。また、第１開口部は、操作パネル側に設けるようにしてもよいし、操作パネルと収納トレイとの境目に形成するようにしてもよい。
【００４０】
さらに、本実施の形態では、２つの光源と、１つの導光部材を設けて照明するようにしたが、本発明はこれに限定されることはなく、製品仕様等により、光源及び、導光部材の個数を変更してもよい。
【図面の簡単な説明】
【００４１】
【図１】本発明の操作パネルの照明構造を採用した車輌のヒータコントロール装置の正面図である。
【図２】図１の一部断面正面図である。
【図３】図１の側面断面図である。
【図４】図１の側面断面図である。
【図５】図１の操作スイッチの側面断面図である。
【符号の説明】
【００４２】
３、４、５…ダイヤルノブ、１２…操作パネル、１４…表示部、１９…収納トレイ、２０…第１開口部、２２…ベース、２３、２４…光源、４０…導光部材、４５…第１導光部、４６、４７…傾斜面。
【図１】
2005309111.tif 000003
【図２】
2005309111.tif 000004
【図３】
2005309111.tif 000005
【図４】
2005309111.tif 000006
【図５】
2005309111.tif 000007